(57)【要約】      （修正有）【課題】フック部とループ部が相互掛合または貼着の効果を達成する貼着機能を有する前開き型衣服を提供する。【解決手段】貼着機能を有する前開き型衣服は、第一メリヤス前身頃１０、第二メリヤス前身頃２０およびメリヤス貼着構造３０を含む。第一メリヤス前身頃は第一貼着エリア１５を含み、第一貼着エリアは繊維糸で成形された複数個のフック部を有する。第二メリヤス前身頃は第一メリヤス前身頃と相対して設置する。メリヤス貼着構造は第二貼着エリア３１を含み、第二貼着エリアは繊維糸で成形されたループ部を複数個有し、ループ部はフック部と相互に重ねて貼着して結合する。それにより、第一貼着エリアと第二貼着エリアは対応して貼着する。【選択図】図１
0003232633.tif 000002
【実用新案登録請求の範囲】
【請求項１】
貼着機能を有する前開き型衣服において、
第一貼着エリアを含み、前記第一貼着エリアは繊維糸で成形された複数個の鈎部を有する第一メリヤス前身頃と、
前記第一メリヤス前身頃と相対して設置する第二メリヤス前身頃と、
前記第一メリヤス前身頃と前記第二メリヤス前身頃の間に設け、第二貼着エリアを含み、前記第二貼着エリアは繊維糸で成形されたループ部を複数個有し、複数の前記ループ部は複数のフック部と相互に重ねて貼着結合するメリヤス貼着構造を含むことを特徴とする貼着機能を有する前開き型衣服。
【請求項２】
前記第一貼着エリアは剪毛処理で複数の前記フック部を成形し、
前記第二貼着エリアは開繊処理で複数の前記ループ部を成形することを特徴とする請求項１記載の貼着機能を有する前開き型衣服。
【請求項３】
前記メリヤス貼着構造は、前記第一メリヤス前身頃と前記第二メリヤス前身頃に相互に対応する内辺縁および外辺縁に設け、前記内辺縁および前記外辺縁には複数の前記ループ部に有することを特徴とする請求項１記載の貼着機能を有する前開き型衣服。
【請求項４】
前記貼着機能を有する前開き型衣服は、更にメリヤス後身頃を有し、それは前記第一メリヤス前身頃と前記第二メリヤス前身頃と連接し、
前記第一貼着エリアは前記第一メリヤス前身頃の外表面および内表面全体に設け、更に前記第二メリヤス前身頃と前記メリヤス後身頃の外表面および内表面全体は前記第一貼着エリア構造と同じ複数の前記フック部を成形することを特徴とする請求項３記載の貼着機能を有する前開き型衣服。
【請求項５】
前記衣服は頸部エリアを有し、前記第一メリヤス前身頃と前記メリヤス後身頃一側に第一袖部を連接し、前記第二メリヤス前身頃と前記メリヤス後身頃の一側に第二袖部を連接し、前記第二貼着エリアは前記第一メリヤス前身頃と前記第二メリヤス前身頃の前記第一袖部と前記第二袖部と異なる側辺から前記頸部エリアへ延びて設置されることを特徴とする請求項４記載の貼着機能を有する前開き型衣服。
【請求項６】
前記第一メリヤス前身頃はメリヤス丸編み構造で成形し、前記メリヤス貼着構造はメリヤス丸編み、またはメリヤス縦編み構造で成形することを特徴とする請求項１または２記載の貼着機能を有する前開き型衣服。
【請求項７】
前記第一貼着エリアはデニール数が７５Ｄから３００Ｄで、繊維本数が２４Ｆから９６Ｆのテトロン材質を含むことを特徴とする請求項６記載の貼着機能を有する前開き型衣服。
【請求項８】
前記第一貼着エリアは、デニール数が１５０Ｄで繊維本数が４８Ｆであることを特徴とする請求項７記載の貼着機能を有する前開き型衣服。
【請求項９】
前記メリヤス貼着構造はデニール数が１０５Ｄで、繊維本数が３６Ｆｘ３７の海島型繊維糸を含むことを特徴とする請求項７記載の貼着機能を有する前開き型衣服。
【請求項１０】
前記メリヤス貼着構造は更にデニール数が７５Ｄで、繊維本数は７２Ｆの二股加工糸を含むことを特徴とする請求項９記載の貼着機能を有する前開き型衣服。
【考案の詳細な説明】
【技術分野】
【０００１】
本考案は、衣服に関するもので、特に貼着機能を有する前開き型衣服に係る。
【背景技術】
【０００２】
衣服の着脱を簡易にするため、前開き式で、ボタン、タイ紐またはマグネット方式で着脱する。例えば簡単に着脱できる前開きマグネットスナップボタンがあり、それは主にマグネットの吸着特性を利用し、一般のボタンに替えることで着脱の簡易性を提供する。（特許文献１に参照）
【０００３】
しかしながら、マグネットには一定重量があり、着ている時の重量感を増幅させ、且つマグネットは固定位置に設置されているだけなので、衣服の前身頃を覆って固定し、使用者の体型に合わせて服のゆったり感を調整することはできない。
【先行技術文献】
【特許文献】
【０００４】
【特許文献１】台湾  特許登録第Ｍ５３３４１７号
【考案の概要】
【考案が解決しようとする課題】
【０００５】
上述の課題を改善するため、本考案は貼着機能を有する前開き型衣服を提供する。それは第一メリヤス前身頃の第一貼着エリアにある複数個のフック部と、メリヤス貼着構造の第二貼着エリアにある複数個のループ部を有する。フック部はループ部と相互に掛合または貼着し、重覆貼着の効果を達成し、その他結合部材を使用しなくてもよい。
【課題を解決するための手段】
【０００６】
上述の目的を達成するため、本考案の実施例で提供する貼着機能を有する前開き型衣服において、それは第一メリヤス前身頃、第一前身頃と相対して設置する第二メリヤス前身頃およびメリヤス貼着構造を含む。第一メリヤス前身頃は第一貼着エリアを含み、第一貼着エリアは繊維糸で成形された複数個の鈎部を有する。
メリヤス貼着構造は第一メリヤス前身頃と第二メリヤス前身頃の間に設け、メリヤス貼着構造は第二貼着エリアを含み、第二貼着エリアは繊維糸で成形されたループ部を複数個有し、ループ部はフック部と相互に重ねて貼着して結合する。
【０００７】
貼着機能を有する前開き型衣服の第一貼着エリアは第二貼着エリアと対応して貼着し、そのフック部とループ部を相互に掛合または貼着し、貼着の効果を達成する。更に本考案は締め紐、マグネットまたはボタン等方式を採用する必要なく、公知の欠点を取り除く。
【考案の効果】
【０００８】
本考案は以下の長所を有する。
【０００９】
本考案の第一貼着エリア１５および第二貼着エリア３１は製織して成形され、重覆して貼着する効果を有する他に、衣服１００の重量または厚重感を更に増やす必要がなく、更に追加の結合部材を使用する必要がなく、即ち着脱しやすい衣服１００の前開き作用を達成する。
【００１０】
本考案の第一貼着エリア１５と第二貼着エリア３１はどちらも製織した繊維構造であり、織物本体の柔軟特性によって、使用者が衣服１００を着用した時の快適性を提供する。
【００１１】
第一メリヤス前身頃１０、第二メリヤス前身頃２０とメリヤス後身頃４０がすべてフック部１５１構造である時、それらは第二貼着エリア３１と貼着し、貼着の位置を制限することなく、自在に貼着使用できる効果を有し、量産に適し、異なる体型の使用者に提供できる。
【図面の簡単な説明】
【００１２】
【図１】本考案の貼着機能を有する前開き型衣服の第一実施例の外観指示図である。
【図２】本考案の第一貼着エリアと第二貼着エリアの構造指示図であり、第一貼着エリアと第二貼着エリアが分かれた状態である。
【図３】本考案の第一貼着エリアと第二貼着エリアの構造指示図であり、第一貼着エリアと第二貼着エリアの貼着状態である。
【図４】本考案の貼着機能を有する前開き型衣服の第二実施例の外観指示図である。
【図５】本考案の開き貼着機能を有する衣服の第三実施例の外観指示図である。
【考案を実施するための形態】
【００１３】
本考案が挙げた実施例を図式を参照し以下に詳細に説明するが、それは本考案の技術原理を特定の公開された実施例に限定することを意図しない。また、本考案の範囲は、本考案の請求範囲にだけ制限され、それは代替、修飾、変更と同等のものも含まれる。
（一実施形態）
【００１４】
図１から図３に示すのは、本考案の貼着機能を有する前開き型衣服１００の第一実施例である。本実施例における衣服１００はバスローブとする。衣服１００は第一メリヤス前身頃１０、第二メリヤス前身頃２０、メリヤス貼着構造３０およびメリヤス後身頃４０を含む。メリヤス後身頃４０は第一メリヤス前身頃１０と第二メリヤス前身頃２０とに連接する。且つ衣服１００には使用者が着用した時に頸部に対応するため、頸部エリア５０を有する。また、第一メリヤス前身頃１０と第二メリヤス前身頃２０は衣服１００の前側面に位置する。その他、衣服１００の内外部は、例えば使用者が気持ちよく着用できるように内側には柔らかい材質を選んで基材とするというように、異なる材質を選んでもよい。
【００１５】
第一メリヤス前身頃１０は、その一側に第一袖部６０を連接し、第一メリヤス前身頃１０は外表面１１、内表面１２および外辺縁１３および内辺縁１４を有する。外辺縁１３は第一袖部６０から遠く且つ外表面１１と同側面に位置し、内辺縁１４は外辺縁１３に対応し内表面１２同側面に位置する。そのうち、第一メリヤス前身頃１０は第一貼着エリア１５を含み、第一貼着エリア１５は繊維糸で成形された複数個の鈎部１５１を有する。
【００１６】
第二メリヤス前身頃２０は第一メリヤス前身頃１０と相対して設け、第二メリヤス前身頃２０の一側は第二袖部７０を連接する。第二メリヤス前身頃２０は第一メリヤス前身頃１０に相互に対応する外表面２１、内表面２２および外辺縁２３および内辺縁２４を有する。外辺縁２３は第二袖部７０から遠く且つ外表面２１と同側面に位置する。内辺縁２４は外辺縁２３に対応し内表面２２同側面に位置する。本実施例において、第一貼着エリア１５は第一メリヤス前身頃１０の外表面１１および内表面１２の全体に設け、且つ第二メリヤス前身頃２０の外表面２１および内表面２２全体とメリヤス後身頃４０の外表面および内表面全体には第一貼着エリア１５構造と同じフック部１５１を成形する。当然であるが、制作ニーズが異なれば、第一貼着エリア１５を第一メリヤス前身頃１０と第二メリヤス前身頃２０とメリヤス後身頃４０の外表面１１、２１全体に成形するだけでもよく、内表面１２、２２はその他の材質の身体に接触する快適性を高める内表面１２、２２を採用する。
【００１７】
メリヤス貼着構造３０は、第一メリヤス前身頃１０と第二メリヤス前身頃２０の間に設ける。メリヤス貼着構造３０は第二貼着エリア３１を含み、第二貼着エリア３１は繊維糸で成形されたループ部３１１を複数個有する。ループ部３１１はフック部１５１と相互に重複貼着結合する。本実施例において、メリヤス貼着構造３０は第一メリヤス前身頃１０と第二メリヤス前身頃２０の内辺縁１４，２４および外辺縁１３，２３に設け、更に内辺縁１４，２４および外辺縁１３，２３にはループ部３１１を有する。このようにして、第一メリヤス前身頃１０と第二メリヤス前身頃２０が重なり合う時、フック部１５１とループ部３１１は相互に掛合または貼着され、貼着の効果を達成する。依って衣服１００に如何なる結合部材も採用せずに重ねあわせて貼着使用でき、且つ便利で如何なる重量も増えずに使用できる。本考案実施例において、第二貼着エリア３１は、第一袖部５０と第二袖部６０と異なる第一メリヤス前身頃１０と第二メリヤス前身頃２０の側辺から頸部エリア５０に向かって延びて設置される。
【００１８】
更に、本考案の実施例において、第一貼着エリア１５は第一メリヤス前身頃１０と一体成形する。即ち、第一メリヤス前身頃１０と第一貼着エリア１５は製織により整形された同一の織物である。
【００１９】
特に、本考案が示すフック部１５１およびループ部３１１は、実際において相互間の機能関係を指し、それは相互のフックとループを目的としており、その形状が鉤型と環状であることを指しているのではない。例を示すと、フック部は繊維が剪毛処理した後の密集状糸であれば、またループ部３１１と貼着効果を達成できる。
【００２０】
第一メリヤス前身頃１０はメリヤスの丸編み構造で成形し、第一貼着エリア１５を立体繊維構造とする。第一メリヤス前身頃１０はデニール数が７５Ｄから３００Ｄを含み、繊維本数は２４Ｆから９６Ｆのテトロン材質とする。更に本考案の実施例において、第一メリヤス前身頃１０のデニール数は１５０Ｄであり、繊維本数は４８Ｆとする。そのうち、第一メリヤ前身頃１０は、およそ以下の製織ステップを採用する。テトロン（キバタ）を剪毛処理（剪毛機で）し、それを繊維糸で複数個のフック部１５１を成形する。その後、染色、脱水、展開、定型等順序で進行する。
【００２１】
メリヤス貼着構造３０の布地はメリヤス丸編み、またはメリヤス縦編み構造で成形され、第二貼着エリア３１を立体繊維構造とする。メリヤス貼着構造３０はデニール数が１０５Ｄで繊維本数が３６Ｆｘ３７の海島型繊維糸、およびデニール数が７５Ｄで繊維本数が７２Ｆの二股加工糸を含む。そのうち、メリヤス貼着構造３０の布地は、おおよそ製織ステップが採用される。海島型繊維糸、二股加工糸をキバタにした後、減量開繊、定型、染色、定型を行う。第二貼着エリア３１は繊維糸で成形されたループ部３１１を複数個有し、そのうち開繊方式は化学処理または機械処理する。例として化学処理の場合、溶剤でその材料を溶かし、別の材料を残す。また機械処理の場合、機械で揉み、開繊処理で更に多くの細繊維をリバースする。また本考案の別の実施例において、メリヤス貼着構造３０のキバタは海島型繊維糸で製織するだけでも良い。更に、色変化として、メリヤス貼着構造３０の原料にデニール数が１００Ｄのキャンブリック糸を加えることで、視覚的価値が増す。
【００２２】
使用者が衣服１００を着る時、第一貼着エリア１５と第二貼着エリア３１を対応させて重ね貼着し、フック部１５１とループ部３１１を相互に掛合または貼着して貼着の効果を達成する。第一メリヤス前身頃１０と第二メリヤス前身頃２０を重ねて貼着状態にできるので、締め紐、マグネットまたはボタン等方式を用いる必要がなく、公知の欠点を改善する。
【００２３】
その他、第一メリヤス前身頃１０、第二メリヤス前身頃２０とメリヤス後身頃４０すべてであるフック部１５１において、それは第二貼着エリア３１と合わさって貼着した時、貼着位置を限定せず、自在貼着の効果を有するため、量産に適し、異なる体型の使用者に提供する。その他、第一メリヤス前身頃１０、第二メリヤス前身頃２０を重ねて貼着した時、第一メリヤス前身頃１０の外辺縁１３に位置する第二貼着エリア３１は第二メリヤス前身頃２０の内表面２２に位置する第一貼着エリア１５と貼着し、同時に第二メリヤス前身頃２０の内辺縁２４に位置する第二貼着エリア３１は第一メリヤス前身頃１０の外表面１１に位置する第一貼着エリア１５と貼着し、内外側すべてが貼着のエリアを形成し、第一メリヤス前身頃１０と第二メリヤス前身頃２０の貼着レベルが向上し、両者は離れにくい。
（第二実施形態）
【００２４】
図４に示すのは、本考案の貼着機能を有する前開き型衣服１００の第二実施例である。第一実施例と異なる点として、第一メリヤス前身頃１０と第二メリヤス前身頃２０が傾斜身頃であり、且つ第一貼着エリア１５は第一メリヤス前身頃１０の外表面１１の辺縁エリア、即ち外辺縁１３近くに設け、第二貼着エリア３１は第二メリヤス前身頃２０の内表面２２、且つ内辺縁１４に設ける。
（第三実施形態）
【００２５】
図５に示すのは、本考案の貼着機能を有する前開き型衣服１００の第三実施例である。第一実施例と異なる点として、第一貼着エリア１５と第二貼着エリア３１が衣服１００の長度と比較して半分であり、即ち長さが第一実施例の半分であるが、前述と同じ効果を達成する。またその他実施例として、第一貼着エリア１５と第二貼着エリア３１も一本であることを制限せず、二本またはそれ以上でもよい。
【００２６】
本考案を一つの良好な実施例で説明し、当領域に習熟した者が本考案の精神と範囲のもと、各種異なる形式の変化を実施する。以上の列挙した実施例は、本考案を説明するためのものであり、本考案の範囲を制限するものではない。本考案の精神に違わない種々の修飾または変更は、すべて本考案の請求範囲に属するものとする。
【符号の説明】
【００２７】
１００        衣服
１０        第一メリヤス前身頃
１１        外表面
１２        内表面
１３        外辺縁
１４        内辺縁
１５        第一貼着エリア
１５１        フック部
２０        第二メリヤス前身頃
２１        外表面
２２        内表面
２３        外辺縁
２４        内辺縁
３０        メリヤス貼着構造
３１        第二貼着エリア
３１１        ループ部
４０        メリヤス後身頃
５０        頸部エリア
６０        第一袖部
７０        第二袖部
【図１】
0003232633.tif 000003
【図２】
0003232633.tif 000004
【図３】
0003232633.tif 000005
【図４】
0003232633.tif 000006
【図５】
0003232633.tif 000007
【手続補正書】
【提出日】令和3年4月21日(2021.4.21)
【手続補正１】
【補正対象書類名】実用新案登録請求の範囲
【補正対象項目名】全文
【補正方法】変更
【補正の内容】
【実用新案登録請求の範囲】
【請求項１】
貼着機能を有する前開き型衣服において、
第一貼着エリアを含み、前記第一貼着エリアは繊維糸で成形された複数個のフック部を有する第一メリヤス前身頃と、
前記第一メリヤス前身頃と相対して設置する第二メリヤス前身頃と、
前記第一メリヤス前身頃と前記第二メリヤス前身頃の間に設け、第二貼着エリアを含み、前記第二貼着エリアは繊維糸で成形されたループ部を複数個有し、複数の前記ループ部は複数のフック部と相互に重ねて貼着結合するメリヤス貼着構造を含むことを特徴とする貼着機能を有する前開き型衣服。
【請求項２】
前記第一貼着エリアは剪毛処理で複数の前記フック部を成形し、
前記第二貼着エリアは開繊処理で複数の前記ループ部を成形することを特徴とする請求項１記載の貼着機能を有する前開き型衣服。
【請求項３】
前記メリヤス貼着構造は、前記第一メリヤス前身頃と前記第二メリヤス前身頃に相互に対応する内辺縁および外辺縁に設け、前記内辺縁および前記外辺縁には複数の前記ループ部に有することを特徴とする請求項１記載の貼着機能を有する前開き型衣服。
【請求項４】
前記貼着機能を有する前開き型衣服は、更にメリヤス後身頃を有し、それは前記第一メリヤス前身頃と前記第二メリヤス前身頃と連接し、
前記第一貼着エリアは前記第一メリヤス前身頃の外表面および内表面全体に設け、更に前記第二メリヤス前身頃と前記メリヤス後身頃の外表面および内表面全体は前記第一貼着エリア構造と同じ複数の前記フック部を成形することを特徴とする請求項３記載の貼着機能を有する前開き型衣服。
【請求項５】
前記衣服は頸部エリアを有し、前記第一メリヤス前身頃と前記メリヤス後身頃一側に第一袖部を連接し、前記第二メリヤス前身頃と前記メリヤス後身頃の一側に第二袖部を連接し、前記第二貼着エリアは前記第一メリヤス前身頃と前記第二メリヤス前身頃の前記第一袖部と前記第二袖部と異なる側辺から前記頸部エリアへ延びて設置されることを特徴とする請求項４記載の貼着機能を有する前開き型衣服。
【請求項６】
前記第一メリヤス前身頃はメリヤス丸編み構造で成形し、前記メリヤス貼着構造はメリヤス丸編み、またはメリヤス縦編み構造で成形することを特徴とする請求項１または２記載の貼着機能を有する前開き型衣服。
【請求項７】
前記第一貼着エリアはデニール数が７５Ｄから３００Ｄで、繊維本数が２４Ｆから９６Ｆのテトロン材質を含むことを特徴とする請求項６記載の貼着機能を有する前開き型衣服。
【請求項８】
前記第一貼着エリアは、デニール数が１５０Ｄで繊維本数が４８Ｆであることを特徴とする請求項７記載の貼着機能を有する前開き型衣服。
【請求項９】
前記メリヤス貼着構造はデニール数が１０５Ｄで、繊維本数が３６Ｆｘ３７の海島型繊維糸を含むことを特徴とする請求項７記載の貼着機能を有する前開き型衣服。
【請求項１０】
前記メリヤス貼着構造は更にデニール数が７５Ｄで、繊維本数は７２Ｆの二股加工糸を含むことを特徴とする請求項９記載の貼着機能を有する前開き型衣服。
【手続補正２】
【補正対象書類名】明細書
【補正対象項目名】０００６
【補正方法】変更
【補正の内容】
【０００６】
上述の目的を達成するため、本考案の実施例で提供する貼着機能を有する前開き型衣服において、それは第一メリヤス前身頃、第一前身頃と相対して設置する第二メリヤス前身頃およびメリヤス貼着構造を含む。第一メリヤス前身頃は第一貼着エリアを含み、第一貼着エリアは繊維糸で成形された複数個のフック部を有する。
メリヤス貼着構造は第一メリヤス前身頃と第二メリヤス前身頃の間に設け、メリヤス貼着構造は第二貼着エリアを含み、第二貼着エリアは繊維糸で成形されたループ部を複数個有し、ループ部はフック部と相互に重ねて貼着して結合する。
【手続補正３】
【補正対象書類名】明細書
【補正対象項目名】００１５
【補正方法】変更
【補正の内容】
【００１５】
第一メリヤス前身頃１０は、その一側に第一袖部６０を連接し、第一メリヤス前身頃１０は外表面１１、内表面１２および外辺縁１３および内辺縁１４を有する。外辺縁１３は第一袖部６０から遠く且つ外表面１１と同側面に位置し、内辺縁１４は外辺縁１３に対応し内表面１２同側面に位置する。そのうち、第一メリヤス前身頃１０は第一貼着エリア１５を含み、第一貼着エリア１５は繊維糸で成形された複数個のフック部１５１を有する。